【事件の表示】
　特願２００４−　８５６０２号「熱交換器フィンの洗浄装置及びそのノズル」拒絶査定不服審判事件〔平成１７年１０月　６日出願公開、特開２００５−２７３９６７号〕について、次のとおり審決する。
【結　論】
　本件審判の請求は、成り立たない。
【理　由】
１　手続の経緯
　平成１６年　３月２３日　本件出願
　平成１９年１２月１３日　拒絶理由通知
　平成２０年　１月２３日　意見書、手続補正書
　平成２０年　４月１５日　拒絶査定
　平成２０年　５月２２日　本件審判請求
　平成２０年　６月１０日　手続補正書
　平成２２年　５月　６日　補正の却下の決定、拒絶理由通知
　平成２２年　６月　８日　意見書、手続補正書　
　　　
２　本願発明
　本件出願の請求項１ないし２に係る発明は、平成２２年６月８日付け手続補正書により補正された特許請求の範囲及び明細書並びに図面の記載からみて、その特許請求の範囲の請求項１ないし２に記載された事項により特定されるとおりのものと認められるところ、請求項１に係る発明（以下「本願発明」という。）は、次のとおりである。
　　　　
「【請求項１】
　空調装置に備えられる熱交換器のフィンを洗浄する熱交換器フィンの洗浄装置であって、
　洗浄用の蒸気を生成し、生成された蒸気を噴出口から噴出させる蒸気生成装置と、
　前記蒸気生成装置の噴出口に装着され、蒸気の拡散を規制するカバーノズルと、
　前記カバーノズル先端面から突出し、熱交換器のフィンの外形形状に整合した櫛歯形状を有するブラシと、
　を備え、
　前記ブラシの先端部分にはブラシ長さを異ならせることによって前記フィン間の隙間に入り込む凸部と前記フィンの先端に当接する凹部とが形成されており、前記凸部と前記凹部とが繰り返されることによって前記熱交換器のフィンの外形形状に整合した櫛歯形状が形成され、
　前記カバーノズルは、横長の矩形状の開口を有し、前記噴出口から前記開口に向けて徐々に広がる形状を有している熱交換器フィンの洗浄装置。」
　　
３　引用刊行物
　これに対して、当審で平成２２年５月６日付けで通知した拒絶理由には、本件出願前に日本国内で頒布された刊行物である次の刊行物１ないし３が引用されており、各刊行物には、それぞれ、以下の事項が記載されている。なお、下線は当審で付与した。
　　　　
　刊行物１：特開平９−２２４８９１号公報
　刊行物２：特開２００２−２２３９３号公報
　刊行物３：特開平８−１４７９２号公報
　　
（１）刊行物１
ア　段落【０００１】
「【発明の属する技術分野】この発明は、スチームを噴出させて
床などの被清掃面の汚れの清掃あるいは被掃除面に付着した汚物等を除去するスチーム式掃除機
　　
イ　段落【００１２】
「図１は
スチーム式掃除機
この掃除機Ａはスチーム発生装置が設けられている本体Ｂと清掃体Ｃとから構成されている。
スチーム発生部は
本体ケース１内に収納して設けられたスチーム生成器２０
から構成されている。
　　
ウ　段落【００２０】
「つぎに、前記収納室３に収納して設けられるスチーム生成器２０について説明する。この
スチーム生成器２０は
基体２１の中央部を貫通して設けられた中空管体２３とから構成されている。
中空管体２３は基体２１を介してヒータ２２によって加熱されていることから、給水手段３０によって前記中空管体２３内に給水された水はこの中空管体２３内で略瞬時に蒸気つまりスチームとされて清掃体Ｃに送られるものである。
　　
エ　段落【００２３】
「つぎに、
前記清掃体Ｃは、被掃除面である床面等（以下単に床面という）側の対向面の中央部にスチームを噴出させるスチーム噴出部としての噴出口５１が設けらた清掃体Ｃの本体ケース５０とこの本体ケース５０の前記噴出口５１の近傍外周部に設けたブラシ毛等からなる清掃部材５２から構成されている。そして、前記本体ケース５０には噴出口５１に連通する接続管５３が設けられ、この接続管５３は前記継手管６４に接続され、前記スチーム生成器２０によって生成されたスチームは継手管６４、接続管５３を介して噴出口５１から噴出される
　　　
オ　上記イの「図１はスチーム式掃除機（以下単に掃除機という）Ａの断面図であり、この掃除機Ａはスチーム発生装置が設けられている本体Ｂと清掃体Ｃとから構成されている。そして、スチーム発生部は本体の筐体である本体ケース１に一体に形成された貯水タンク１０、本体ケース１内に収納して設けられたスチーム生成器２０、・・・等から構成されている。」との記載、上記エの「スチーム生成器２０によって生成されたスチームは継手管６４、接続管５３を介して噴出口５１から噴出される」との記載、及び図１からみて、掃除機本体で生成された蒸気は継手管６４から噴出する、ということができる。
　
カ　上記エの「清掃体Ｃは、被掃除面である床面等（以下単に床面という）側の対向面の中央部にスチームを噴出させるスチーム噴出部としての噴出口５１が設けらた清掃体Ｃの本体ケース５０とこの本体ケース５０の前記噴出口５１の近傍外周部に設けたブラシ毛等からなる清掃部材５２から構成されている。」との記載、及び図１の操作体Ｃの本体ケース５０と清掃体５２との配置関係からみて、ブラシが清掃体の本体ケース５２の先端面から突出している、ということができる。
　
キ　上記エの記載及び図１の清掃体Ｃの本体ケース５０の形状からみて、清掃体の本体ケース５０は、開口を有するとともに、掃除機本体の継手管６４に接続される清掃体の本体ケース５０の接続管５３から前記開口に向けて徐々に広がる形状を有しており、蒸気の拡散を規制するものである、ということができる。
　上記アないしエで摘示した事項並びに上記オないしキで認定した事項から、刊行物１には、次の発明（以下「引用発明」という。）が記載されているものと認められる。
　　　
　「床などの被掃除面に付着した汚物等を除去するスチーム式掃除機であって、
　蒸気を生成し、生成された蒸気を掃除機本体の継手管から噴出させる掃除機本体と、
　前記掃除機本体の継手管に装着され、蒸気の拡散を規制する清掃体本体ケースと、
　前記清掃体本体ケースの先端面から突出するブラシと、
　を備え、
　前記清掃体本体ケースは、開口を有し、前記掃除機本体の継手管に接続される清掃体本体ケースの接続管から前記開口に向けて徐々に広がる形状を有しているスチーム式掃除機。」
　　　　
（２）刊行物２
ア　段落【００１５】〜【００１７】　　　
「【００１５】
本発明に係る家庭用エアコンの室内機の洗浄装置１は
当該洗浄装置本体７のスチーム噴射装置３から供給される高温のスチームを噴射するスチーム噴射ノズル９
【００１６】洗浄装置本体７は、図２に示すように、ハウジング１７内に、スチーム噴射装置３とバキューム吸引装置５とが一体に設けられて成り、ハウジング１７の底部には、キャスター１９が４箇所取り付けられ、自由に移動し得るようになっている。
【００１７】スチーム噴射装置３は、洗浄水を貯蔵する洗浄水タンク２１と、当該洗浄水タンク２１から供給された洗浄水を加熱して蒸気を発生させるヒーター２３と、当該高温の蒸気をスチーム管２５に高圧供給するポンプ２７とから構成されている。
高温高圧のスチーム洗浄
高温高圧のスチーム洗浄
　　
イ　段落【００２５】
「【００２５】
スチーム噴射ノズル９は、高温高圧のスチームを当該先端より噴射するものである
　　
ウ　段落【００２８】〜【００２９】
「【００２８】次に、本発明に係る家庭用エアコンの室内機の洗浄装置の使用方法等について、図７に基づいて説明する。まず、エアコン６７の電源を切り、化粧パネルを取り外す。熱交換器６９の内部に塵埃等が目立つときは、あらかじめ、クリーニングヘッド１３のバキューム吸引スイッチ４３をオンして汚濁水吸引ノズル１１により塵埃等を吸引しておく。そして、
クリーニングヘッド１３のスチーム噴射ノズル９と汚濁水吸引ノズル１１を、被洗浄エアコン６７の熱交換器６９のアルミフィン表面から１ｃｍ位離間して宛がい、スチーム噴射スイッチ４１とバキューム吸引スイッチ４３を同時にオンして洗浄作業を行なう。
作業者は、クリーニングヘッド１３をアルミフィンに宛がい、上下方向もしくは左右方向に徐々に移動させながら洗浄していく。内奥に付着した汚れについては、必要に応じてスチーム噴射ノズル９を交換して、洗浄作業を行なう。
【００２９】
高圧高温のスチームがアルミフィンの表面に吹き付けられることにより、アルミフィン表面に付着した汚れを効果的に落とすとともに、熱交換器内部を殺菌する。
　　　
　上記アないしウで摘示した事項をふまえると、刊行物２には、次の事項が記載されているものと認められる。
　　
「スチーム噴射ノズルからのスチームをエアコンの熱交換器フィンの表面に噴射することで、エアコンの熱交換器フィンの洗浄を行うこと。」
　　　
（３）刊行物３
ア　段落【０００１】〜【０００５】
「【０００１】
【産業上の利用分野】本発明は、凝縮器に関し、特に凝縮器のフィンに付着したゴミを除去するものに関する。
【０００２】
【従来の技術】従来の自動販売機等においては、凝縮器冷却用ファンを備えた凝縮器及び圧縮器等を一側に空気吸込孔が形成されている機械室に配設する一方、これらの圧縮器、凝縮器と共に冷凍サイクルを形成するエバポレータを商品収納室に配設して商品収納室に収納されている商品を冷却するようにしている。
【０００３】なお、この凝縮器は、空気吸込口に臨む平行に並設された多数の薄板状のフィンと、このフィンを貫通すると共にフィンに伝熱的に接合され、内部を冷媒が通過する冷媒管とを有すると共に、凝縮器冷却用ファンにより空気吸込孔から吸い込まれた外気により冷却されるようになっている。
【０００４】ところで、
外気には細かなゴミ等が含まれているため、凝縮器が外気にて冷却される際、このゴミがフィンに付着するようになる。そして、このようにフィンにゴミが付着すると、チューブの内部を通過する冷媒を効率的に冷却できなくなるため、適当な時期にフィンに付着したゴミを取り除く必要がある。
【０００５】
【発明が解決しようとする課題】ところが、このような従来の凝縮器においては、
ゴミを取り除くためのゴミ除去手段としては、ワイアブラシが使用されるようになっているが、ワイアブラシにてフィンを擦るのは手間がかかるだけでなく、ワイアブラシを準備するという手間もかかるという問題点がある。
　　
イ　段落【００１０】〜【００１３】
「【００１０】図１は、本発明の一実施例に係る凝縮器が配設されている自動販売機等の機械室の要部平面図である。同図において、１は機械室であり、この機械室１の内部には、圧縮器２と、凝縮器３と、この凝縮器３を冷却するための凝縮器冷却用ファン４等が、ベース部材５上に配設されている。
【００１１】ここで、この凝縮器３は機械室１の一側に形成されている図示しない空気吸込口に一番近い位置に配設されるようになっており、凝縮器冷却用ファン４にて空気吸込口から吸い込まれた外気は、矢印に示すように凝縮器３を通過して行くようになっている。なお、同図において、６は圧縮器２、凝縮器３及び図示しないエバポレータとの間に配管されている冷媒管であり、６ａは凝縮器３の冷媒管である。
【００１２】一方、この
凝縮器３には、凝縮器３の空気吸込口に臨む平行に並設された多数の薄板状のフィン７のそれぞれの隙間に挿入される歯８を多数備えた櫛状のブラシ９が取付けられており
【００１３】そして、このように
ブラシ９を押し下げ操作することにより歯８をフィン７に沿って移動させることができ、これによりフィン７に付着しているゴミを除去することができるようになっている
　　
　上記アないしイで摘示した事項をふまえると、刊行物２には、次の事項が記載されているものと認められる。
　
　「ブラシにより凝縮器のフィンを清掃すること、そのブラシはフィンのそれぞれの隙間に挿入される歯を多数備えた櫛状に形成されること。」
　　
４　対比
　本願発明と引用発明とを対比する。
　引用発明の「スチーム式掃除機」は、「洗浄装置」という限りにおいて、本願発明の「空調装置に備えられる熱交換器のフィンを洗浄する熱交換器フィンの洗浄装置」と共通する。
　引用発明の「蒸気」は本願発明の「洗浄用の蒸気」に、引用発明の「掃除機本体」は本願発明の「蒸気生成装置」に相当する。
　引用発明の「掃除機本体の継手管」は、その継手管が有する口から蒸気が噴出されることが明らかであるから、本願発明の「噴出口」に相当する。
　引用発明の「清掃体本体ケース」は、本願発明の「カバーノズル」に相当する。
　引用発明の「掃除機本体の継手管に接続されている清掃体本体ケースの接続管から開口に向けて徐々に広がる形状」は、「開口に向けて徐々に広がる形状」という限りにいて、本願発明の「噴出口から開口に向けて徐々に広がる形状」と共通する。
　　　　
　したがって、両者の一致点及び相違点は、次のとおりと認められる。
　　　
＜一致点＞
「洗浄装置であって、
　洗浄用の蒸気を生成し、生成された蒸気を噴出口から噴出させる蒸気生成装置と、
　前記蒸気生成装置の噴出口に装着され、蒸気の拡散を規制するカバーノズルと、
　前記カバーノズル先端面から突出するブラシと、
　を備え、
　前記カバーノズルは、開口を有し、前記開口に向けて徐々に広がる形状を有している洗浄装置。」の点。
　　　　
＜相違点１＞
　洗浄装置が、
　本願発明は、「空調装置に備えられる熱交換器のフィンを洗浄する」ものであるのに対し、
　引用発明は、床などの被掃除面に付着した汚物等を除去するものである点。　　
＜相違点２＞
　ブラシが、
　本願発明は、「熱交換器のフィンの外形形状に整合した櫛歯形状を有」しており、「ブラシの先端部分にはブラシ長さを異ならせることによってフィン間の隙間に入り込む凸部と前記フィンの先端に当接する凹部とが形成されており、前記凸部と前記凹部とが繰り返されることによって熱交換器のフィンの外形形状に整合した櫛歯形状が形成され」ているのに対し、
　引用発明は、そのようなものではない点。
　
＜相違点３＞
　カバーノズルの開口の形状が、　
　本願発明は、「横長の矩形状」であるのに対し、
　引用発明は、そのような形状かどうか不明な点。
　　
＜相違点４＞
　カバーノズルの開口に向けて徐々に広がるカバーノズルの形状が、
　本願発明は、「噴出口から開口に向けて徐々に広がる形状」であるのに対し、
　引用発明は、掃除機本体の継手管に接続される清掃体本体ケースの接続管から開口に向けて徐々に広がる形状、すなわち、蒸気生成装置の噴出口に接続されるカバーノズルの接続管から開口に向けて徐々に広がる形状である点。
　　　
５　相違点についての検討
（１）相違点１について
　刊行物２には、前記３の（２）で示したとおりの事項（「スチーム噴射ノズルからのスチームをエアコンの熱交換器フィンの表面に噴射することで、エアコンの熱交換器フィンの洗浄を行うこと。」）が記載されている。
　刊行物２記載の事項の「スチーム」は、本願発明の「洗浄用の蒸気」ということができる。同様に、「エアコンの熱交換器フィン」は「空調装置に備えられる熱交換器のフィン」ということができる。
　そうすると、刊行物２記載の事項は、「蒸気噴射ノズルからの蒸気を空調装置に備えられる熱交換器のフィンの表面に噴射することで、空調装置に備えられる熱交換器のフィンを洗浄すること。」と言い換えることができる。
　そして、引用発明と刊行物２記載の事項とは、ともに、蒸気を被掃除面に供給して洗浄を行う点で共通する。
　してみると、引用発明に刊行物２記載の事項を適用して、引用発明の洗浄装置を、空調装置に備えられる熱交換器のフィンを洗浄するものとすることは、当業者が容易になし得たことである。
　　　
（２）相違点２について
ア　刊行物３には、前記３の（３）で示したとおりの事項（「ブラシにより凝縮器のフィンを清掃すること、そのブラシはフィンのそれぞれの隙間に挿入される歯を多数備えた櫛状に形成されること。」）が記載されている。　
　刊行物３記載の事項の「凝縮器」は、「熱交換器」という限りにおいて、本願発明の「空調装置に備えられる熱交換器」と共通する。
　また、刊行物３記載の事項の「フィンのそれぞれの隙間に挿入される歯を多数備えた櫛状に形成される」は、「フィン間のそれぞれの隙間に入り込む凸部を有する櫛歯形状に形成される」という限りにおいて、本願発明の「熱交換器のフィンの外形形状に整合した櫛歯形状を有」し、「ブラシの先端部分にはブラシ長さを異ならせることによってフィン間の隙間に入り込む凸部と前記フィンの先端に当接する凹部とが形成されており、前記凸部と前記凹部とが繰り返されることによって熱交換器のフィンの外形形状に整合した櫛歯形状が形成され」ることと共通する。　
　そうすると、刊行物３記載の事項は、「ブラシにより熱交換器のフィンを清掃すること、そのブラシはフィン間のそれぞれの隙間に入り込む凸部を有する櫛歯形状に形成されること。」と言い換えることができる。
　そして、引用発明と刊行物３記載の事項とは、清掃に用いられるブラシの点で共通する。
　　　
イ　また、熱交換器の清掃に用いるブラシにおいて、ブラシ長さを異ならせることによって凸部と凹部とを形成して清掃対象の外形形状に整合した形状とすること、その凹部に清掃対象を当接させることは、従来周知の事項（例えば、実願昭６１−１６４１６１号（実開昭６３−６７７９２号）のマイクロフィルムの第４図、実公昭４８−１４０８５号公報を参照のこと。）である。
　　　
ウ　また、上記（１）で述べたとおり、引用発明の洗浄装置を空調装置に備えられる熱交換器のフィンを洗浄するものとすることは、当業者が容易になし得たことであるところ、熱交換器の清掃に関する刊行物３記載の事項及び上記周知の事項が、空調装置の熱交換器の洗浄に適用できないとする特段の理由は見当たらない。
　　
エ　上記アないしウをふまえると、引用発明のブラシを空調装置に備えられた熱交換器のフィンを洗浄するものとする際に、刊行物３記載の事項の「ブラシはフィン間のそれぞれの隙間に入り込む凸部を有する櫛歯形状に形成されること」と上記周知の事項とをふまえ、引用発明のブラシ形状について、フィン間の隙間に入り込むブラシ部をブラシ長の長い凸部に形成するとともに、その凸部の間をブラシ長の短い凹部に形成した櫛歯形状とし、清掃対象である熱交換器フィンの外形形状に整合したものとすること、その凹部にフィン先端が当接するものとすることは、当業者が適宜なし得たことである。
　　　
（３）相違点３について
　洗浄装置のカバーノズルの開口の形状として、横長の矩形状はごくありふれた形状にすぎない（例えば、特開平９−２８０７８８号公報の図２、特開平１１−１０４０５１号公報の図１を参照のこと。）。
　してみると、引用発明のカバーノズルの開口の形状を、横長の矩形状とすることは、当業者が適宜なし得たことである。　　
　　
（４）相違点４について
　刊行物１の図１をみると、カバーノズルである清掃体本体ケース５０において、そのケースの開口に向けて徐々に広がる形状は、接続管５３における掃除機本体の継手管６４が挿入される側の端部とは反対側の端部から清掃体本体ケース５０の開口に向けて徐々に広がる形状となっている。
　そして、掃除機本体の継手管６４が接続管５３の中に挿入されて接続されているところ、その挿入深さをどの程度とするかは、掃除機本体と清掃体本体ケース５０との接続強度等をふまえ、当業者が適宜選択する設計事項にすぎないから、継手管６４を接続管５３における清掃体本体ケース５０の開口のある側の端部まで挿入することは、当業者が適宜なし得たことである。
　このとき、カバーノズルである清掃体本体ケース５０の形状は、継手管５３の端部から清掃体本体ケース５０の開口に向けて徐々に広がる形状、すなわち、噴出口からカバーノズルの開口に向けて徐々に広がる形状となることは、明らかである。
　してみると、引用発明において相違点４に係る構成とすることは、当業者が適宜なし得たことである。　
　　　
（５）本願発明の効果についてみても、引用発明、刊行物２記載の事項、刊行物３記載の事項及び周知の事項から当業者が十分予測できる範囲のものであって、格別顕著なものとはいえない。
　　　
（６）したがって、本願発明は、引用発明、刊行物２記載の事項、刊行物３記載の事項及び周知の事項に基づいて当業者が容易に発明をすることができたものである。
　　　　
６　むすび
　以上のとおり、本願発明は、引用発明、刊行物２記載の事項、刊行物３記載の事項及び周知の事項に基づいて当業者が容易に発明をすることができたものであるから、特許法第２９条第２項の規定により特許を受けることができないものである。
　したがって、本件出願のその余の請求項に係る発明について検討するまでもなく、本件出願は拒絶されるべきものである。
　よって、結論のとおり審決する。